(57)【要約】【課題】  本発明は、放射性物質の除染処理剤に関し、さらに詳しくは、原子力発電所の原子炉などの原子力施設などから拡散される放射性物質（放射性核種）を、被服、屋根瓦、瓦礫、建物及びその周辺土壌、道路、自動車などの装置・機械類から安全確実に取り除くための除染処理剤を提供することである。【解決手段】  天然オレンジの果皮から抽出されるｄ−リモネンと柑橘類より抽出されるクエン酸を工業用洗剤に均一混合し、Ｃｓ／ｄ−リモネンの錯体形成及びＲａ／ｄ−リモネンの錯体形成が可能となるように構成したことを特徴とする放射性物質の除染処理剤である。【選択図】なし【特許請求の範囲】
【請求項１】
天然オレンジの果皮から抽出されるｄ−リモネンと柑橘類より抽出されるクエン酸を工業用洗剤に均一混合し、Ｃｓ／ｄ−リモネンの錯体形成及びＲａ／ｄ−リモネンの錯体形成が可能となるように構成したことを特徴とする放射性物質の除染処理剤。
【請求項２】
工業用洗剤６０〜９０重量％に、ｄ−リモネン９〜３０重量％とクエン酸１〜１０重量％を均一混合して構成されることを特徴とする請求項１記載の放射性物質の除染処理剤。
【請求項３】
工業用洗剤６０〜９０重量％に、ｄ−リモネン９〜３０重量％とクエン酸１〜１０重量％を均一混合し、この均一混合液にポリアクリル酸ナトリウム２〜１０重量％を均一混合して構成されることを特徴とする請求項１又は２記載の放射性物質の除染処理剤。
【請求項４】
工業用洗剤６０〜９０重量％に、ｄ−リモネン９〜３０重量％とクエン酸１〜１０重量％を均一混合し、この均一混合液に鉱物性粉３〜１０重量％を均一混合して構成されることを特徴とする請求項１乃至３の何れかに記載の放射性物質の除染処理剤。
【発明の詳細な説明】
【技術分野】
【０００１】
本発明は、放射性物質の除染処理剤に関し、さらに詳しくは、原子力発電所の原子炉などの原子力施設などから拡散される放射性物質（放射性核種）を、被服、屋根瓦、瓦礫、建物及びその周辺土壌、道路、自動車などの装置・機械類から安全確実に取り除くための除染処理剤に関するものである。
【背景技術】
【０００２】
通常原子力施設は安全対策に十分に配慮した構造や装置を備え、その運転システムにも十分な安全対策が施されている。
しかしながら、このような原子力施設といえども、自然災害などの想定外の状況に直面すると、未曾有の結果をもたらすことは過去の歴史が証明するところである。
【０００３】
原子力施設から拡散した放射性物質は、被服、屋根瓦、瓦礫、建物及びその周辺土壌、道路、自動車などの装置・機械類などに降りかかり放射能汚染という重大な事態を招くことになる。
一旦発生した放射性物質は放射能汚染の根源となり、その汚染源自体の半減期（放射能の能力が元の半分になるまでの期間を意味する）は、放射性セシウム（Ｃｓ）を例に取ると３０．１年とされている。
このように長期間に亘り放射能汚染の危険にさらされることから、放射能汚染の根源となる放射性物質の取り除き（除染）作業が必要となるが、現時点では放射性物質の有効な取り除き作業が確立していないため、その対策が強く望まれているところである。
【先行技術文献】
【特許文献】
【０００４】
【特許文献１】特表２００４−５３２０５８号公報
【発明の概要】
【発明が解決しようとする課題】
【０００５】
放射性物質を洗浄剤で除染する方法として特許文献１に示すものがあるが、これは塩基性、非水性の除去流体を放射性物質の除染剤のベースに使用するものであり、放射性物質と除染剤との錯体形成効果が不十分であったため、放射性セシウム（Ｃｓ）や放射性ラジウム（Ｒａ）などの放射性物質の除染効果が弱いという欠点があった。
【０００６】
本発明は、このような事情に鑑みて開発された放射性物質の除染処理剤を提供して、上記の問題点を全て解決せんとするものである。
【課題を解決するための手段】
【０００７】
本発明に係る放射性物質の除染処理剤の請求項１のものは、天然オレンジの果皮から抽出されるｄ−リモネンと柑橘類より抽出されるクエン酸を工業用洗剤に均一混合し、Ｃｓ／ｄ−リモネンの錯体形成及びＲａ／ｄ−リモネンの錯体形成が可能となるように構成したことを特徴とする放射性物質の除染処理剤である。
【０００８】
本発明に係る放射性物質の除染処理剤の請求項２のものは、工業用洗剤６０〜９０重量％に、ｄ−リモネン９〜３０重量％とクエン酸１〜１０重量％を均一混合して構成されることを特徴とする請求項１記載の放射性物質の除染処理剤である。
【０００９】
本発明に係る放射性物質の除染処理剤の請求項３のものは、工業用洗剤６０〜９０重量％に、ｄ−リモネン９〜３０重量％とクエン酸１〜１０重量％を均一混合し、この均一混合液にポリアクリル酸ナトリウム２〜１０重量％を均一混合して構成されることを特徴とする請求項１又は２記載の放射性物質の除染処理剤である。
【００１０】
本発明に係る放射性物質の除染処理剤の請求項４のものは、工業用洗剤６０〜９０重量％に、ｄ−リモネン９〜３０重量％とクエン酸１〜１０重量％を均一混合し、この均一混合液に鉱物性粉３〜１０重量％を均一混合して構成されることを特徴とする請求項１乃至３の何れかに記載の放射性物質の除染処理剤である。
【発明の効果】
【００１１】
本発明に係る請求項１及び２記載の放射能汚染物質の除染処理剤は、セシウムやラジウムのような放射性物質がｄ−リモネンと結合して錯体形成が行われ、その結果セシウムやラジウムのような放射性物質を被付着物から遊離させ、簡単かつ確実に工業用洗剤で洗い流して除染できるという効果を発揮する。
【００１２】
また本発明に係る請求項３記載の放射能汚染物質の除染処理剤は、請求項１及び２の効果に加えて、高分子ポリマーであるポリアクリル酸ナトリウムを均一混合したことで、放射性物質との濡れ性、密着性を改善する効果がある。
【００１３】
また本発明に係る請求項４記載の放射能汚染物質の除染処理剤は、放射能汚染された土壌などの回復に好適となる除染処理剤であり、ゼオライト、シリカ、沸石のような鉱物性粉の表面の微細な凹部で放射性物質を捕捉すると共に、土壌の改良にも貢献する効果がある。
【発明を実施するための形態】
【００１４】
以下、本発明の放射能汚染物質の除染処理剤の実施の形態を説明するが、本発明はこれらの実施の形態に制限されるものではない。
【００１５】
本発明で使用される工業用洗剤は、無機塩類、界面活性剤、多価アルコールを主成分とする洗剤であり、従来より汚れの激しい工業製品などの洗浄に使用されるものである。
この工業用洗剤に、天然オレンジの果皮から抽出されるｄ−リモネンと柑橘類より抽出されるクエン酸を均一混合し、Ｃｓ／ｄ−リモネンの錯体形成及びＲａ／ｄ−リモネンの錯体形成が可能となるように構成している。ｄ−リモネンとクエン酸の相溶性は良好であり、工業用洗剤との相溶性も良好である。
【００１６】
本発明の除染のメカニズムは、ｄ−リモネン分子中の２つの二重結合の自由電子により、Ｃｓ／ｄ−リモネンの錯体形成（キレート錯体の形成）と、Ｒａ／ｄ−リモネンの錯体形成（キレート錯体の形成）が行われ、この錯体形成の力により被汚染物（被服、屋根瓦、瓦礫、建物及びその周辺土壌、道路、自動車などの装置・機械類など）に付着している放射性物質（放射性核種）のセシウム（Ｃｓ）やラジウム（Ｒａ）を遊離させることで除染が行われる。
【００１７】
すなわち、セシウム（Ｃｓ）やラジウム（Ｒａ）は被汚染物に物理的に付着しているわけではなく、ファンデルワールス力による分子間引力で結合しているため、通常の水洗等の手段では容易に除染できないが、前記錯体形成の力を利用すればファンデルワールス力による分子間引力に抗して有効な除染が行えることとなる。
またクエン酸は、放射性物質を溶解し、ｄ−リモネンとの各種錯体形成を促進する働きをする。
【００１８】
なお酸としてはシュー酸もあるが、シュー酸は２価カルボン酸であるのに対し、クエン酸は３価カルボン酸であると共に柑橘類由来である点で、ｄ−リモネンとの相溶性に優れるという利点がある。
【実施例】
【００１９】
以下に本発明にかかる放射性物質の除染処理剤を実施例に基づいてより具体的に説明するが、本発明はこれらに限定されるものではない。
【実施例１】
【００２０】
工業用洗剤（株式会社ダイキョー製のオレンジエース２１）８２０ｇに、ｄ−リモネン１５０ｇとクエン酸３０ｇを撹拌しながら均一混合して第一除染処理剤１０００ｇを得た。
この第一除染処理剤を、放射性物質で汚染された屋根瓦にスプレー散布して３分間放置した後、高圧洗浄機の強度を強にして２０秒間水で洗浄して除染を行った。
【００２１】
測定日：２０１１年１１月２２日
測定場所：茨城県工業技術センター
測定器：ＧＭサーベイメータ（ＡＬＯＫＡ製ＴＧＳ−１３６）
測定方法：被測定体表面における放射線量として、ＧＭサーベイメータ（ＡＬＯＫＡ製ＴＧＳ−１３６）で係数率（ｃｐｍ）を測定した。この際、プローブ先端を被測定体表面に近接させて測定した。測定回数１０回のセット。
【００２２】
除染前の屋根瓦の放射線量の測定結果と、第一除染処理剤による除染後の屋根瓦の放射線量の測定結果を下記の測定結果１に示す。
【００２３】
測定結果１
１． 除染前の瓦  放射線量の測定値の平均                  ７６２ｃｐｍ
２．（第一除染処理剤）除染後の瓦  放射線量の測定値の平均  １４３ｃｐｍ
【実施例２】
【００２４】
工業用洗剤（株式会社ダイキョー製のオレンジエース２１）８２０ｇに、ｄ−リモネン１５０ｇとクエン酸３０ｇを撹拌しながら均一混合して第一除染処理剤１０００ｇを得た。
この第一除染処理剤１０００ｇに、ポリアクリル酸ナトリウムを４０ｇ撹拌しながら均一混合して第二除染処理剤１０４０ｇを得た。
この第二除染処理剤を、放射性物質で汚染された屋根瓦にスプレー散布して３分間放置した後、高圧洗浄機の強度を強にして２０秒間水で洗浄して除染を行った。
これと比較するため、第一除染処理剤からｄ−リモネンとクエン酸を除外した工業用洗剤からなる第三除染処理剤を用意した。この第三除染処理剤も第二除染処理剤と同様に放射性物質で汚染された屋根瓦にスプレー散布して３分間放置した後、高圧洗浄機の強度を強にして２０秒間水で洗浄して除染を行った。
【００２５】
測定日：２０１１年１１月２５日
測定場所：株式会社ダイキョー研究所
測定器：ｉｎｓｐｅｃｔｏｒ＋（インスペクタープラス）米国製
ＧＭ計数管  測定精度  ＋−１０％の範囲
測定方法：被測定体表面における放射線量として、ｉｎｓｐｅｃｔｏｒ＋（インスペクタープラス）米国製で係数率（ｃｐｍ）を測定した。この際、プローブ窓（４５ｍｍ）を被測定体表面に近接させて測定した。測定回数１０回のセット。
【００２６】
除染前の屋根瓦の放射線量の測定結果と、第二除染処理剤による除染後の屋根瓦の放射線量の測定結果と、第三除染処理剤による除染後の屋根瓦の放射線量の測定結果を下記の測定結果２に示す。
【００２７】
測定結果２
１． 除染前の瓦  放射線量の測定値の平均                  ３６０ｃｐｍ
２．（第二除染処理剤）除染後の瓦  放射線量の測定値の平均  １２０ｃｐｍ
３．（第三除染処理剤）除染後の瓦  放射線量の測定値の平均  ２０５ｃｐｍ
【実施例３】
【００２８】
工業用洗剤（株式会社ダイキョー製のオレンジエース２１）８２０ｇに、ｄ−リモネン１５０ｇとクエン酸３０ｇを撹拌しながら均一混合して第一除染処理剤１０００ｇを得た。
この第一除染処理剤１０００ｇに、ゼオライトを４０ｇ撹拌しながら均一混合して第四除染処理剤１０４０ｇを得た。
この第四除染処理剤を、放射性物質で汚染された土壌（６０平米）にスプレー散布して１０分間放置した後、耕運機で５分間土壌の撹拌を行って除染を行った。
これと比較するため、前記第一除染処理剤からｄ−リモネンとクエン酸を除外した工業用洗剤からなる前記第三除染処理剤を用意した。この第三除染処理剤も第四除染処理剤と同様に放射性物質で汚染された土壌（６０平米）にスプレー散布して１０分間放置した後、耕運機で５分間土壌の撹拌を行って除染を行った。
【００２９】
測定日：２０１１年１０月１６日
測定場所：株式会社ダイキョー研究所
測定器：ｉｎｓｐｅｃｔｏｒ＋（インスペクタープラス）米国製
ＧＭ計数管  測定精度  ＋−１０％の範囲
測定方法：被測定体表面における放射線量として、ｉｎｓｐｅｃｔｏｒ＋（インスペクタープラス）米国製で係数率（ｃｐｍ）を測定した。この際、プローブ窓（４５ｍｍ）を被測定体表面に近接させて測定した。測定回数１０回のセット。
【００３０】
除染前の土壌の放射線量の測定結果と、第四除染処理剤による除染後の土壌の放射線量の測定結果と、第三除染処理剤による除染後の土壌の放射線量の測定結果を下記の測定結果３に示す。
【００３１】
測定結果３
１． 除染前の土壌  放射線量の測定値の平均                  ５４０ｃｐｍ
２．（第四除染処理剤）除染後の土壌  放射線量の測定値の平均  １８０ｃｐｍ
３．（第三除染処理剤）除染後の土壌  放射線量の測定値の平均  ３０２ｃｐｍ
【００３２】
上記の測定結果１〜３から判明するように、本発明に係る除染処理剤を使用すると、除染の結果はきわめて優れた数値を示すことが理解できる。
上記の除染効果は、セシウムやラジウムのような放射性物質がｄ−リモネンと結合して錯体形成が行われ、その結果セシウムやラジウムのような放射性物質を被付着物から遊離して、有効な除染が行われたことによる。
【産業上の利用可能性】
【００３３】
本発明によれば、各種の原子力産業の現場及び除染を必要とする現場で有効に利用することができる。